(57)【特許請求の範囲】
【請求項１】
互いに交差する複数の陽極線及び陰極線と、前記陽極線及び前記陰極線の各交差部において前記陽極線及び前記陰極線間に接続された複数の発光素子とからなる発光パネルを駆動する発光パネルの駆動装置であって、
陽極電源電圧に基づいて前記発光素子を発光させるべき駆動電流を発生する電流源と、
画像を担う表示データに応じて前記陽極線の各々に選択的に前記駆動電流を供給する陽極駆動スイッチと、
前記陽極線各々の内の所定の陽極線を検出対象陽極線としこの検出対象陽極線上の電圧値を陽極電圧値として検出する陽極電圧検出回路と、
前記検出対象陽極線に対して前記駆動電流を供給させるべき画像を担う所定の表示データを前記陽極駆動スイッチに供給する制御回路と、
前記所定の表示データが前記陽極駆動スイッチに供給されている間に限り前記陽極電圧値を順方向電圧値として取り込む順方向電圧取込回路と、
前記順方向電圧値に対応した電圧値を有する電圧を前記陽極電源電圧として生成する陽極電源回路と、を有し、
前記陽極電圧検出回路は、第１の色で発光する前記発光素子が接続されている前記陽極線を第１検出対象陽極線とすると共に前記第１の色とは異なる第２の色で発光する前記発光素子が接続されている前記陽極線を第２検出対象陽極線とし、
前記第１検出対象陽極線上の電圧及び前記第２検出対象陽極線上の電圧の内の高い方の電圧を前記陽極電圧値として検出することを特徴とする発光パネルの駆動装置。
【請求項２】
前記制御回路は、電源投入時点において前記所定の表示データを前記陽極駆動スイッチに供給することを特徴とする請求項１記載の発光パネルの駆動装置。
【請求項３】
前記所定の表示データは、前記電源投入時点において一時的に前記発光パネル上に表示されるブート画像を担う画像データであることを特徴とする請求項２記載の発光パネルの駆動装置。
【請求項４】
前記順方向電圧取込回路は、前記所定の表示データが前記陽極駆動スイッチに供給されている期間内において周期的に繰り返し前記陽極電圧値を前記順方向電圧値として取り込むことを特徴とする請求項１記載の発光パネルの駆動装置。
【請求項５】
前記制御回路は、前記所定の表示データを前記陽極駆動スイッチに供給している間に限り前記陽極電圧検出回路及び前記順方向電圧取込回路に対して電源電圧の供給を行うことを特徴とする請求項１記載の発光パネルの駆動装置。
【請求項６】
互いに交差する複数の陽極線及び陰極線と、前記陽極線及び前記陰極線の各交差部において前記陽極線及び前記陰極線間に接続された複数の発光素子とからなる発光パネルを備えた携帯端末装置であって、
情報データの送信及び受信を行う送受信回路と、
陽極電源電圧に基づいて前記発光素子を発光させるべき駆動電流を発生する電流源と、
画像を担う表示データに応じて前記陽極線の各々に選択的に前記駆動電流を供給する陽極駆動スイッチと、
前記陽極線各々の内の所定の陽極線を検出対象陽極線としこの検出対象陽極線上の電圧値を陽極電圧値として検出する陽極電圧検出回路と、
前記検出対象陽極線に対して前記駆動電流を供給させるべき画像を担う所定の表示データを前記陽極駆動スイッチに供給する制御回路と、
前記所定の表示データが前記陽極駆動スイッチに供給されている間に限り前記陽極電圧値を順方向電圧値として取り込む順方向電圧取込回路と、
電源電圧を発生するバッテリと、
前記順方向電圧値に応じて前記電源電圧を調整することにより前記陽極電源電圧を生成する陽極電源回路と、を有し、
前記陽極電圧検出回路は、第１の色で発光する前記発光素子が接続されている前記陽極線を第１検出対象陽極線とすると共に前記第１の色とは異なる第２の色で発光する前記発光素子が接続されている前記陽極線を第２検出対象陽極線とし、
前記第１検出対象陽極線上の電圧及び前記第２検出対象陽極線上の電圧の内の高い方の電圧を前記陽極電圧値として検出することを特徴とする発光パネルを備えた携帯端末装置。
【請求項７】
前記制御回路は、電源投入時点において前記所定の表示データを前記陽極駆動スイッチに供給することを特徴とする請求項６記載の発光パネルを備えた携帯端末装置。
【請求項８】
前記所定の表示データは、前記電源投入時点において一時的に前記発光パネル上に表示されるブート画像を担う画像データであることを特徴とする請求項７記載の発光パネルを備えた携帯端末装置。
【請求項９】
前記所定の表示データは、前記送受信回路の受信状態を表すアンテナマーク、及び前記バッテリのバッテリ残量を表すバッテリ残量マークを含む通信待ち受け情報を担う画像データであることを特徴とする請求項６記載の発光パネルを備えた携帯端末装置。
【請求項１０】
前記順方向電圧取込回路は、前記所定の表示データが前記陽極駆動スイッチに供給されている期間内において周期的に繰り返し前記陽極電圧値を前記順方向電圧値として取り込むことを特徴とする請求項６記載の発光パネルを備えた携帯端末装置。
【請求項１１】
前記制御回路は、前記所定の表示データを前記陽極駆動スイッチに供給している間に限り前記陽極電圧検出回路及び前記順方向電圧取込回路に対して電源電圧の供給を行うことを特徴とする請求項６記載の発光パネルを備えた携帯端末装置。
【発明の詳細な説明】
【０００１】
【発明が属する技術分野】
本発明は、有機エレクトロルミネセンス素子等の容量性発光素子がマトリクス状に配置された発光パネルを発光駆動する駆動装置に関する。
【０００２】
【従来の技術】
近年、ディスプレイ装置の大型化に伴い、薄型のものが要求され、各種の薄型ディスプレイ装置が実用化されている。このような薄型のディスプレイ装置において用いられる表示素子として、有機エレクトロルミネッセンス素子(以下、単にＥＬ素子という)が知られている。
【０００３】
ＥＬ素子は容量性の発光素子であり、電気的には、図１に示す如く容量成分Ｃと、該容量成分に並列に結合するダイオード特性の成分Ｅとによって等価的に表すことができる。ＥＬ素子は、直流の発光駆動電圧が電極間に印加されると、電荷が容量成分Ｃに蓄積され、続いて当該素子固有の障壁電圧または発光閾値電圧を越えると、電極(ダイオード成分Ｅの陽極側)から発光層を担う有機機能層に電流が流れ始め、この電流に比例した強度で発光する。
【０００４】
図２は、かかるＥＬ素子の電圧Ｖ−電流Ｉ−輝度Ｌの特性を示す図である。
図２に示すように、ＥＬ素子の特性はダイオードに類似しており、発光閾値電圧Ｖth以下の電圧では電流Ｉは極めて小さく、発光閾値電圧Ｖth以上の電圧になると電流Ｉは急激に増加する。また、電流Ｉと輝度Ｌはほぼ比例する。つまり、発光閾値電圧Ｖthを超える駆動電圧を印加すれば当該駆動電圧に応じた電流に比例した発光輝度を呈し、駆動電圧が発光閾値電圧Ｖth以下であれば駆動電流が流れず発光輝度もゼロに等しいままである。
【０００５】
図３は、このようなＥＬ素子をマトリクス状に配列して為る発光パネルを搭載したＥＬディスプレイ装置の概略構成を示す図である。
図３において、発光パネル１１には、ｎ個の陰極線(金属電極)Ｂ1 〜Ｂnが横方向、ｍ個の陽極線(透明電極)Ａ1〜Ａmが縦方向に夫々平行に設けられ、各交差部(計ｎ×ｍ個)に、ＥＬ素子Ｅ1,1〜Ｅm,nが形成されている。画素を担うＥＬ素子Ｅ1,1 〜Ｅm,nは、格子状に配列され、垂直方向に沿う陽極線Ａ1〜Ａmと水平方向に沿う陰極線Ｂ1 〜Ｂnとの交差位置に対応して一端（上記の等価回路のダイオード成分Ｅの陽極線側）が陽極線に、他端（上記の等価回路のダイオード成分Ｅの陰極線側）が陰極線に接続される。
【０００６】
発光制御回路１２は、入力された映像データに応じて当該映像データが担う画像を表示させるべく陰極線走査回路１３及び陽極線ドライバ１４各々を制御する。すなわち、発光制御回路１２は、ＥＬ素子Ｅ1,1〜Ｅm,n各々を１水平走査ライン分ずつ駆動対象とすべき走査パルス信号ＳＰを陰極線走査回路１３に供給する。更に、発光制御回路１２は、入力映像データに応じた論理レベルを有する駆動パルスを生成し、駆動パルスを１水平走査ライン分(ＧＰ1〜ＧＰm)ずつ陽極線ドライバ１４に供給する。陰極線走査回路１３は、各陰極線の電位を個別に定める陰極線Ｂ1 〜Ｂnに対応する走査スイッチ５1 〜５nを有している。走査スイッチ５1 〜５nの各々は、発光制御回路１２から上記走査パルス信号ＳＰが供給されている期間中はアース電位(０Ｖ)、それ以外の期間中はバイアス電位Ｖcc(例えば１０Ｖ)を、対応する陰極線に印加する。尚、バイアス電位Ｖccは、走査パルス信号ＳＰが供給されていない陰極線各々に接続されたＥＬ素子によるクロストーク発光を防止すべく印加されるものであり、通常、バイアス電位Ｖcc＝ＶFに設定されている。陽極電源回路１０は、バッテリ１００からの電源電圧に基づき、ＥＬ素子Ｅ1,1〜Ｅm,n各々を駆動すべく陽極線Ａ1〜Ａm各々に供給される駆動電流の源となる所定の陽極電源電圧ＶAを生成し、これを陽極線ドライバ１４に供給する。陽極線ドライバ１４は、発光パネル１１の陽極線Ａ1〜Ａm各々を介してＥＬ素子Ｅ1,1〜Ｅi,jの各々に駆動電流を供給する電流源としての定電流ドライバ２1〜２m、及び陽極駆動スイッチ６1〜６mを有している。定電流ドライバ２1〜２m各々は、陽極電源回路１０から供給された陽極電源電圧ＶAに基づき所定の一定電流を有する上記駆動電流を発生して陽極駆動スイッチ６1〜６m各々に出力する。陽極駆動スイッチ６は、発光制御回路１２から供給された駆動パルスＧＰが例えば論理レベル"１"である場合には定電流ドライバ２の出力端を陽極線Ａに接続する一方、駆動パルスＧＰが論理レベル"０"である場合にはアース電位を陽極線Ａに印加する。例えば、陽極駆動スイッチ６1は、発光制御回路１２から供給された駆動パルスＧＰ1が論理レベル"１"である場合には定電流ドライバ２1の出力端を陽極線Ａ1に接続する一方、上記駆動パルスＧＰ1が論理レベル"０"である場合にはアース電位を陽極線Ａ1に印加する。又、陽極駆動スイッチ６mは、発光制御回路１２から供給された駆動パルスＧＰmが論理レベル"１"である場合には定電流ドライバ２mの出力端を陽極線Ａmに接続する一方、上記駆動パルスＧＰmが論理レベル"０"である場合にはアース電位を陽極線Ａmに印加する。尚、上記定電流ドライバ２1〜２m各々の供給電流量は、ＥＬ素子が所望の瞬時輝度で発光する状態（以下、この状態を定常発光状態と称する。）を維持するために必要な電流量とされる。また、ＥＬ素子が定常発光状態にある時は、上述したＥＬ素子の容量成分Ｃに電荷が充電されているため、ＥＬ素子の両端電圧は発光閾値電圧Ｖthより若干高い正電圧ＶF（この電圧を順方向電圧と称する）となる。従って、上記走査パルス信号ＳＰに応じてアース電位に設定された陰極線上のＥＬ素子のみが、定電流ドライバ２から供給された駆動電流に応じて発光する。この際、陽極駆動スイッチ６1〜６m各々の内で、上記発光制御回路１２から論理レベル"１"の駆動パルスが供給された陽極駆動スイッチのみが上記駆動電流を、対応する陽極線上に印加することになる。よって、発光パネル１１に設けられているＥＬ素子Ｅ1、1〜Ｅi、j各々は入力映像データに応じた発光状態(発光、又は非発光)となるのである。
【０００７】
ここで、図３に示す発光パネル１１の状態は、陰極線Ｂ1が駆動対象(走査)となっており、この陰極線Ｂ1に接続されているＥＬ素子Ｅ1,1及びＥ2,1を光らせた場合を例に挙げたものである。尚、図３においては、発光状態にあるＥＬ素子をダイオード記号、非発光状態にあるＥＬ素子をコンデンサ記号にて夫々示している。
【０００８】
図３に示す状態では、走査スイッチ５1のみが０Ｖのアース電位側に切り換えられることにより、陰極線Ｂ1が駆動対象となる。この際、他の陰極線Ｂ2 〜Ｂnには、走査スイッチ５2 〜５n によりバイアス電位Ｖccが印加されている。同時に、陽極線Ａ1 及びＡ2 には、陽極駆動スイッチ６1 及び６2 によって定電流ドライバ２1 及び２2 からの駆動電流が流れ込んでいる。したがって、この場合、ＥＬ素子Ｅ1,1 とＥ2,1 のみが順方向にバイアスされ、定電流ドライバ２1 及び２2 から矢印のように駆動電流が流れ込み、ＥＬ素子Ｅ1,1 及びＥ2,1 のみが発光することとなる。
【０００９】
ところで、各ＥＬ素子に印加される順方向電圧と、駆動電流との関係は、図４に示すように温度変化に応じて変化する。更に、図５に示す如く、その順方向電圧は経時経過に伴い上昇することが知られている。ＥＬ素子の順方向電圧が温度や経時によって変化すると定電流ドライバ２がＥＬ素子を所定の定電流で駆動させることが出来なくなる場合がある。この際、かかる不具合に対処すべく、予め高めの陽極電源電圧ＶAを定電流ドライバ２に供給することが考えられたが、電源電圧を高くすると消費電力も増加するという問題が生じる。
【００１０】
そこで、図３に示す如きＥＬディスプレイ装置では、陽極電圧検出回路１５及び順方向電圧取込回路１６を設けることにより、上記問題点を解決していた。
陽極電圧検出回路１５は、陽極線Ａ1〜Ａmの内のいずれか１つを検出対象とし、その１つの陽極線(図３においては陽極線Ａm)上の電圧値を検出してその電圧値を示す陽極電圧値ＶDを順方向電圧取込回路１６に供給する。順方向電圧取込回路１６は、陽極電圧検出回路１５から供給された陽極電圧値ＶDを陽極線上に生じている順方向電圧値として取り込み、これを示す順方向電圧値ＶFを陽極電源回路１０に供給する。
【００１１】
陽極電源回路１０は、上記順方向電圧値ＶFに定電流ドライバ２で生じるロス電圧を加算した電圧値と等しくなるように、定電流ドライバ２1〜２m各々に供給すべき陽極電源電圧ＶAの値を調整する。つまり、陽極電源回路１０は、陽極電源電圧ＶAの電圧値がＥＬ素子が定常発光状態を維持する際に必要となる電圧値よりも高ければ陽極電源電圧ＶAを低下させ、低ければ陽極電源電圧ＶAを高めるべき調整を行うのである。かかる電源電圧調整によれば、例えＥＬ素子の温度変化又は経時変化等により上記順方向電圧ＶFが変化しても、この変化に追従した最適な電圧値を有する陽極電源電圧を発生させることが可能となる。
【００１２】
ところで、陽極線上に生じている順方向電圧を取り込むには、その陽極線上に駆動電流が流れている必要がある。この際、陽極線上に駆動電流が流れているか否かは入力映像データに依存している。そこで、図３に示す順方向電圧取込回路１６では、上記駆動パルスＧＰmが論理レベル"１"であるか否かを常時監視することにより、陽極線Ａmに駆動電流が流れているか否かを判定している。そして、上記駆動パルスＧＰmが論理レベル"１"であると判定された場合、つまり陽極線Ａmに駆動電流が流れていると判定された場合に限り、順方向電圧取込回路１６は、上記陽極電圧値ＶDを順方向電圧値ＶFとして取り込むようにしている。
【００１３】
しかしながら、このような構成では、陽極線Ａm上に駆動電流が流れているか否かの判定動作を常時実施していなければならないので、無駄な電力消費が多いという問題があった。
又、陽極線Ａm上に駆動電流が流れるか否かは入力映像データに依存しているので、その表示内容によっては陽極線Ａm上に駆動電流が流れる機会は皆無となり、陽極電源電圧ＶAの調整が為されなくなるという問題が生じた。
【００１４】
【発明が解決しようとする課題】
本発明は、かかる問題点を解決すべく為されたものであり、低消費電力にて、かつ確実に、陽極電源電圧を最適な値に自動調整することが出来る発光パネルの駆動装置を提供することである。
【００１５】
【課題を解決するための手段】
請求項１記載による発光パネルの駆動装置は、互いに交差する複数の陽極線及び陰極線と、前記陽極線及び前記陰極線の各交差部において前記陽極線及び前記陰極線間に接続された複数の発光素子とからなる発光パネルを駆動する発光パネルの駆動装置であって、陽極電源電圧に基づいて前記発光素子を発光させるべき駆動電流を発生する電流源と、画像を担う表示データに応じて前記陽極線の各々に選択的に前記駆動電流を供給する陽極駆動スイッチと、前記陽極線各々の内の所定の陽極線を検出対象陽極線としこの検出対象陽極線上の電圧値を陽極電圧値として検出する陽極電圧検出回路と、前記検出対象陽極線に対して前記駆動電流を供給させるべき画像を担う所定の表示データを前記陽極駆動スイッチに供給する制御回路と、前記所定の表示データが前記陽極駆動スイッチに供給されている間に限り前記陽極電圧値を順方向電圧値として取り込む順方向電圧取込回路と、前記順方向電圧値に対応した電圧値を有する電圧を前記陽極電源電圧として生成する陽極電源回路と、を有し、前記陽極電圧検出回路は、第１の色で発光する前記発光素子が接続されている前記陽極線を第１検出対象陽極線とすると共に前記第１の色とは異なる第２の色で発光する前記発光素子が接続されている前記陽極線を第２検出対象陽極線とし、前記第１検出対象陽極線上の電圧及び前記第２検出対象陽極線上の電圧の内の高い方の電圧を前記陽極電圧値として検出する。
【００１６】
又、請求項６記載による発光パネルを備えた携帯端末装置は、互いに交差する複数の陽極線及び陰極線と、前記陽極線及び前記陰極線の各交差部において前記陽極線及び前記陰極線間に接続された複数の発光素子とからなる発光パネルを備えた携帯端末装置であって、情報データの送信及び受信を行う送受信回路と、陽極電源電圧に基づいて前記発光素子を発光させるべき駆動電流を発生する電流源と、画像を担う表示データに応じて前記陽極線の各々に選択的に前記駆動電流を供給する陽極駆動スイッチと、前記陽極線各々の内の所定の陽極線を検出対象陽極線としこの検出対象陽極線上の電圧値を陽極電圧値として検出する陽極電圧検出回路と、前記検出対象陽極線に対して前記駆動電流を供給させるべき画像を担う所定の表示データを前記陽極駆動スイッチに供給する制御回路と、前記所定の表示データが前記陽極駆動スイッチに供給されている間に限り前記陽極電圧値を順方向電圧値として取り込む順方向電圧取込回路と、電源電圧を発生するバッテリと、前記順方向電圧値に応じて前記電源電圧を調整することにより前記陽極電源電圧を生成する陽極電源回路と、を有し、前記陽極電圧検出回路は、第１の色で発光する前記発光素子が接続されている前記陽極線を第１検出対象陽極線とすると共に前記第１の色とは異なる第２の色で発光する前記発光素子が接続されている前記陽極線を第２検出対象陽極線とし、前記第１検出対象陽極線上の電圧及び前記第２検出対象陽極線上の電圧の内の高い方の電圧を前記陽極電圧値として検出する。
【００１７】
【発明の実施の形態】
以下、本発明の実施例を図面を参照しつつ詳細に説明する。
図６は、本発明による駆動装置によって発光駆動されるＥＬディスプレイ装置を搭載した携帯端末機の内部構成を示す図である。又、図７は、かかる携帯端末機の外観、特に、その前面パネルの一例を示す図である。
【００１８】
図６において、バッテリ１００は、発光パネル１１をはじめとする各機能モジュールを動作させるべき各種電源電圧を発生する。操作装置２０は、図７に示す如き携帯端末機の前面パネルに設けられている操作ボタン群２１にて使用者からの各種操作を受け付け、その操作に応じた各種操作信号又は文字データを、送受信装置３０及びシステム制御回路４０各々に供給する。送受信装置３０は、操作装置２０から供給された文字データ、又はマイクロフォン３１から供給された音声信号に対して所定変調処理を施し、これをアンテナ３２を介して基地局(図示せぬ)に送信する。又、送受信装置３０は、アンテナ３２を介して受信した受信信号に所定の復調処理を施す。この際、かかる復調処理によって得られた信号中に音声信号が存在する場合には、送受信装置３０は、この音声信号をスピーカ３３に供給して音声出力せしめる。一方、上記復調処理によって得られた信号中に画像データ又は文字データが存在する場合には、送受信装置３０は、この画像データ又は文字データをシステム制御回路４０に供給する。
【００１９】
システム制御回路４０は、送受信装置３０から供給された画像データ又は文字データを、図７に示す如き表示部１１０内に表示させるべき表示データＤＶに変換し、これを発光制御回路１２に供給する。又、システム制御回路４０は、画像データメモリ５０に記憶されている所望の画像データを読み出し、これを図７に示す如き表示部１１０内に表示させるべき表示データＤＶに変換して発光制御回路１２に供給する。尚、画像データメモリ５０には、この携帯端末機の操作を選択する為の各種メニュー画像を担う複数の画像データが予め記憶されている。又、この画像データメモリ５０には、携帯端末機の電源投入時点において一時的に表示部１１０に表示する図８(ａ)に示す如きブート画像(以下、ウェークアップ画像と称する)を担う画像データが予め記憶されている。更に、かかる画像データメモリ５０には、この携帯端末機の通信待ち受け時に表示部１１０に表示する図８(ｂ)に示す如き待ち受け画像を担う画像データが予め記憶されている。
【００２０】
発光パネル１１は、図７に示す如き表示部１１０内の各水平走査ラインに対応して形成されたｎ個の陰極線(金属電極)Ｂ1 〜Ｂnと、これら陰極線各々に交叉して形成されたｍ個の陽極線(透明電極)Ａ1〜Ａmと、陰極線及び陽極線の各交差部に形成され(ｎ×ｍ)個のＥＬ素子Ｅ1,1〜Ｅm,nからなる。各画素を担うＥＬ素子Ｅ1,1 〜Ｅm,nは、格子状に配列され、垂直方向に沿う陽極線Ａ1〜Ａmと水平方向に沿う陰極線Ｂ1 〜Ｂnとの交差位置に対応して一端（上記の等価回路のダイオード成分Ｅの陽極線側）が陽極線に、他端（上記の等価回路のダイオード成分Ｅの陰極線側）が陰極線に接続される。
【００２１】
発光制御回路１２は、システム制御回路４０から供給された表示データＤＶに応じた画像を発光パネル１１の画面上に表示させるべく陰極線走査回路１３及び陽極線ドライバ１４各々を制御する。すなわち、発光制御回路１２は、上記ＥＬ素子Ｅ1,1〜Ｅm,n各々を１水平走査ライン分ずつ駆動対象とすべき走査パルス信号ＳＰを陰極線走査回路１３に供給する。更に、発光制御回路１２は、上記表示データＤＶに応じた論理レベルを有する駆動パルスを生成し、これを１水平走査ライン分(ＧＰ1〜ＧＰm)ずつ陽極線ドライバ１４に供給する。
【００２２】
陰極線走査回路１３は、各陰極線の電位を個別に定める陰極線Ｂ1 〜Ｂnに対応する走査スイッチ５1 〜５nを有している。走査スイッチ５1 〜５nの各々は、発光制御回路１２から上記走査パルス信号ＳＰが供給されている期間中はアース電位(０Ｖ)、それ以外の期間中はバイアス電位Ｖcc(例えば１０Ｖ)を、対応する陰極線に印加する。尚、バイアス電位Ｖccは、走査パルス信号ＳＰが供給されていない陰極線各々に接続されたＥＬ素子によるクロストーク発光を防止すべく印加されるものであり、通常、バイアス電位Ｖcc＝ＶFに設定されている。
【００２３】
陽極電源回路１０は、下記の陽極線ドライバ１４がＥＬ素子Ｅ1,1〜Ｅm,n各々を駆動すべく陽極線Ａ1〜Ａm各々に供給する駆動電流の源となる所定の陽極電源電圧ＶAを発生し、これを陽極線ドライバ１４に供給する。
陽極線ドライバ１４は、発光パネル１１の陽極線Ａ1〜Ａm各々を介してＥＬ素子Ｅ1,1〜Ｅi,jの各々に駆動電流を供給する定電流ドライバ２1〜２m及び陽極駆動スイッチ６1〜６mを有している。定電流ドライバ２1〜２m各々は、陽極電源回路１０から供給された陽極電源電圧ＶAに基づき所定の一定電流を陽極駆動スイッチ６1〜６m各々に出力する。陽極駆動スイッチ６は、発光制御回路１２から供給された駆動パルスＧＰに応じて、定電流ドライバ２の出力端又はアース電位を陽極線Ａに印加する。例えば、陽極駆動スイッチ６1は、発光制御回路１２から供給された駆動パルスＧＰ1が論理レベル"１"である場合には定電流ドライバ２1の出力端を陽極線Ａ1に接続する一方、上記駆動パルスＧＰ1が論理レベル"０"である場合にはアース電位を陽極線Ａ1に印加する。又、陽極駆動スイッチ６mは、発光制御回路１２から供給された駆動パルスＧＰmが論理レベル"１"である場合には定電流ドライバ２mの出力端を陽極線Ａmに接続する一方、上記駆動パルスＧＰmが論理レベル"０"である場合にはアース電位を陽極線Ａmに印加する。
【００２４】
尚、上記定電流ドライバ２1〜２m各々による駆動電流量は、ＥＬ素子が所望の瞬時輝度で発光する状態（以下、この状態を定常発光状態と称する。)を維持させるために必要な電流量とされる。また、ＥＬ素子が定常発光状態にある時は、上述したＥＬ素子の容量成分Ｃに電荷が充電されているため、ＥＬ素子の両端電圧は発光閾値電圧Ｖthより若干高い正電圧ＶF（この電圧を順方向電圧と称する）となる。
【００２５】
従って、上記走査パルス信号ＳＰに応じてアース電位に設定された陰極線上のＥＬ素子のみが、定電流ドライバ２から供給された駆動電流に応じて発光する。この際、陽極駆動スイッチ６1〜６m各々の内で、上記発光制御回路１２から論理レベル"１"の駆動パルスが供給された陽極駆動スイッチのみが上記駆動電流を、対応する陽極線上に印加することになる。よって、発光パネル１１に設けられているＥＬ素子Ｅ1,1〜Ｅi,j各々は上記表示データＤＶに応じた発光状態(発光、又は非発光)となるのである。
【００２６】
陽極電圧検出回路１５０は、陽極線Ａ1〜Ａm各々の内の所定の１つの陽極線Ａ3を陽極電圧の検出対象とし、その陽極線上の陽極電圧値ＶDを検出して順方向電圧取込回路１５１に供給する。尚、陽極電圧の検出対象となる陽極線Ａ3は、電源投入時点に携帯端末機の表示部１１０に表示される、図８(ａ)に示す如きウェークアップ画像中の高輝度部での発光を担う陽極線である。この図８(ａ)に示すウェークアップ画像では、"PIONEER"なるロゴマーク中の各アルファベットが高輝度表示される。すなわち、ＥＬ素子Ｅ1,1〜Ｅi,j各々の内で上記アルファベットの発光表示を担う少なくとも１のＥＬ素子が接続されている陽極線の１つが、上述した如き陽極電圧の検出対象となるのである。
【００２７】
順方向電圧取込回路１５１は、スイッチ１５２を介して電源電圧ＶLが供給されている間に限り動作可能状態となり、この際、上記陽極電圧検出回路１５０から供給された陽極電圧値ＶDを取り込み、これを順方向電圧値ＶFとして陽極電源回路１０に供給する。尚、上記電源電圧ＶLが供給されていない間は、順方向電圧取込回路１５１は不稼働状態にあり、上記陽極電圧検出回路１５０から供給された陽極電圧値ＶDの取り込み動作を実施しない。スイッチ１５２は、システム制御回路４０から電源オンを示す論理レベル"１"の電源制御信号ＰＷが供給されている間は、順方向電圧取込回路１５１に電源電圧ＶLを供給する。一方、システム制御回路４０から電源オフを示す論理レベル"０"の電源制御信号ＰＷが供給されている間、スイッチ１５２は、順方向電圧取込回路１５１に対する電源電圧ＶLの供給を遮断する。従って、順方向電圧取込回路１５１は、システム制御回路４０から電源オンを示す論理レベル"１"の電源制御信号ＰＷが供給されている間に限り、上記陽極電圧検出回路１５０から供給された陽極電圧値ＶDの取り込みを行うのである。よって、この間、上述した如く取り込んだ陽極電圧値ＶDによって順方向電圧値ＶFが更新される。一方、電源オフを示す論理レベル"０"の電源制御信号ＰＷが供給されている間は、陽極電圧値ＶDの取り込みが為されないので順方向電圧値ＶFの更新も行われないことになる。
【００２８】
陽極電源回路１０は、上記順方向電圧値ＶFに定電流ドライバ２で生じるロス電圧を加算した電圧値と等しくなるように、定電流ドライバ２1〜２m各々に供給すべき陽極電源電圧ＶAの値を調整する。つまり、陽極電源回路１０は、陽極電源電圧ＶAの電圧値がＥＬ素子が定常発光状態を維持する際に必要となる電圧値よりも高ければ陽極電源電圧ＶAを低下させ、低ければ陽極電源電圧ＶAを高めるべき調整を行うのである。かかる電源電圧調整によれば、たとえ、ＥＬ素子の温度変化又は経時変化等により上記順方向電圧ＶFが変化しても、この変化に追従した最適な電圧値を有する陽極電源電圧を発生させることが可能となる。
【００２９】
次に、システム制御回路４０によって実施される陽極電源電圧ＶAの調整制御について説明する。
使用者が図７に示す携帯端末機の電源ボタン２１ａを押圧操作すると、バッテリ１００は、陽極電圧検出回路１５０及び順方向電圧取込回路１５１を除く各機能モジュールに電源電圧の供給を開始する。かかる電源供給に応じて、システム制御回路４０は、先ず、図９に示す如き陽極電源電圧調整実行サブルーチンに従った制御を実行する。
【００３０】
図９において、先ず、システム制御回路４０は、画像データメモリ５０から、図８(ａ)に示す如きウェークアップ画像を担う画像データを読み出し、かかる画像データに応じた表示データＤＶを発光制御回路１２に供給する(ステップＳ１１)。かかる表示データＤＶに応じて、発光制御回路１２は、ＥＬ素子Ｅ1,1〜Ｅm,n各々を１水平走査ライン分ずつ駆動対象とすべき走査パルス信号ＳＰを陰極線走査回路１３に供給する。更に、発光制御回路１２は、この表示データＤＶに応じた論理レベルを有する駆動パルスを生成し、これを１水平走査ライン分(ＧＰ1〜ＧＰm)ずつ陽極線ドライバ１４に供給する。この間、システム制御回路４０は、内蔵タイマ(図示せぬ)による計時カウントを開始し(ステップＳ１２)、それから所定時間が経過したか否かの判定を、所定時間経過したと判定されるまで繰り返し行う(ステップＳ１３)。すなわち、上記ステップＳ１１を実行させてから、実際に携帯端末機の表示部１１０内に図８(ａ)に示す如きウェークアップ画像が表示されるまで待つのである。そして、上記ステップＳ１３において所定時間が経過したと判定されたら、システム制御回路４０は、電源オンを示す論理レベル"１"の電源制御信号ＰＷをスイッチ１５２に供給する(ステップＳ１４)。この論理レベル"１"の電源制御信号ＰＷに応じて、スイッチ１５２は、陽極電圧検出回路１５０及び順方向電圧取込回路１５１各々に対して電源電圧ＶLの供給を開始する。電源電圧ＶLが供給されると、順方向電圧取込回路１５１は、陽極電圧検出回路１５０によって検出された陽極線Ａ3上の電圧値を順方向電圧値ＶFとして取り込み、これを陽極電源回路１０に供給する。すると、陽極電源回路１０は、上記順方向電圧値ＶFに定電流ドライバ２で生じるロス電圧を加算した電圧値と等しくなるように、定電流ドライバ２1〜２m各々に供給すべき陽極電源電圧ＶAの値を調整する。つまり、陽極電源回路１０は、陽極電源電圧ＶAの電圧値がＥＬ素子が定常発光状態を維持する際に必要となる電圧値よりも高ければ陽極電源電圧ＶAを低下させ、低ければ陽極電源電圧ＶAを高めるべき調整を行うのである。かかる電源電圧調整によれば、例えＥＬ素子の温度変化又は経時変化等により上記順方向電圧ＶFが変化しても、この変化に追従した最適な電圧値を有する陽極電源電圧を発生させることが可能となる。
【００３１】
上記ステップＳ１４の実行後、システム制御回路４０は、送受信装置３０に対する各種通信動作の初期設定を実施する送受信初期設定処理ルーチンの実行に移る(ステップＳ１５)。
かかる送受信初期設定処理ルーチンの実行後、システム制御回路４０は、電源オフを示す論理レベル"０"の電源制御信号ＰＷをスイッチ１５２に供給する(ステップＳ１６)。この論理レベル"０"の電源制御信号ＰＷに応じて、スイッチ１５２は、陽極電圧検出回路１５０及び順方向電圧取込回路１５１各々に対する電源電圧ＶLの供給を停止する。電源電圧ＶLの供給が停止すると、順方向電圧取込回路１５１は、陽極電圧検出回路１５０にて検出された陽極電圧値ＶDの取り込み動作を停止する。
【００３２】
次に、システム制御回路４０は、画像データメモリ５０から、図８(ｂ)に示す如き待ち受け画像を担う画像データを読み出し、かかる画像データに応じた表示データＤＶを発光制御回路１２に供給する(ステップＳ１７)。かかる表示データＤＶに応じて、発光制御回路１２は、ＥＬ素子Ｅ1,1〜Ｅm,n各々を１水平走査ライン分ずつ駆動対象とすべき走査パルス信号ＳＰを陰極線走査回路１３に供給する。更に、発光制御回路１２は、この表示データＤＶに応じた論理レベルを有する駆動パルスを生成し、これを１水平走査ライン分(ＧＰ1〜ＧＰm)ずつ陽極線ドライバ１４に供給する。かかる動作により、携帯端末機の表示部１１０には、図８(ａ)に示す如きウェークアップ画像に代わり図８(ｂ)に示す如き待ち受け画像が表示されるようになり、携帯端末機は通信の待ち受け状態となる。すなわち、上記ステップＳ１６及びＳ１７の実行により、ウェークアップ画像の非表示期間中は、陽極電圧検出回路１５０及び順方向電圧取込回路１５１各々に対する電源電圧ＶLの供給を遮断して、電力消費を抑えるのである。
【００３３】
上記ステップＳ１７の実行後、システム制御回路４０は、この陽極電源電圧調整実行サブルーチンを抜けて、図示せぬメインルーチンの実行に戻る。
このように、上記陽極電源電圧調整実行サブルーチンにより、先ず、携帯端末機の電源投入時において一時的に、図８(ａ)に示す如きブート画像(ウェークアップ画像)を表示させ、その表示期間中に限り、陽極線Ａ3上の電圧値を順方向電圧値として取り込む。そして、順方向電圧値に定電流ドライバ２で生じるロス電圧を加算した電圧値と等しくなるように、陽極電源電圧ＶAの値を調整するのである。かかる電源電圧調整によれば、例えＥＬ素子の温度変化又は経時変化等により上記順方向電圧ＶFが変化しても、この変化に追従した最適な電圧値を有する陽極電源電圧を発生させることが可能となる。
【００３４】
この際、順方向電圧の検出対象となる陽極線Ａ3は、上記ブート画像中において高輝度表示される"PIONEER"なるロゴマークの表示を担う少なくとも１のＥＬ素子Ｅに接続されている陽極線の１つである。よって、上記ブート画像が表示されている間は、必ず、この陽極線Ａ3上には駆動電流が流れていることになる。従って、順方向電圧の検出対象となる陽極線上に駆動電流が流れているか否かを判別する構成を不要としつつも、確実に、陽極電源電圧の調整を実施できるようになるのである。更に、上記ブート画像の非表示期間中は、陽極電圧検出回路１５０及び順方向電圧取込回路１５１各々に対する電源電圧の供給を停止するようにしたので、電力消費が低減される。
【００３５】
尚、上記実施例においては、携帯端末機の電源投入時においてのみで図９に示す如き陽極電源電圧調整実行サブルーチンを実行して、陽極電源電圧の調整を行うようにしているが、これを周期的に繰り返し実行するようにしても良い。
更に、かかる陽極電源電圧調整動作を、携帯端末機の通信待ち受け状態時において周期的に繰り返し実行するようにしても良い。この際、陽極電圧検出回路１５０及び順方向電圧取込回路１５１が順方向電圧検出の対象とする陽極線は、図８(ｂ)に示す如き待ち受け画像中の高輝度表示部、例えばアンテナマーク、バッテリ残量マーク、又は時計表示を担う陽極線の内のいずれか１である。尚、アンテナマークは送受信装置３０における受信感度を表すものであり、バッテリ残量マークはバッテリ１００のバッテリ残量を表すものである。そして、システム制御回路４０は、携帯端末機の通信待ち受け状態時において、図１０に示す如き陽極電源電圧調整実行サブルーチンを所定時間おきに繰り返し実行する。
【００３６】
図１０において、システム制御回路４０は、先ず、電源オンを示す論理レベル"１"の電源制御信号ＰＷをスイッチ１５２に供給する(ステップＳ２１)。この論理レベル"１"の電源制御信号ＰＷに応じて、スイッチ１５２は、陽極電圧検出回路１５０及び順方向電圧取込回路１５１各々に対して電源電圧ＶLの供給を開始する。電源電圧ＶLが供給されると、順方向電圧取込回路１５１は、陽極線Ａ3上の電圧値を順方向電圧ＶFとして取り込み開始し、これを陽極電源回路１０に供給する。尚、陽極線Ａ3は、図８(ｂ)に示す如き待ち受け画像中のアンテナマーク表示(あるいはバッテリ残量マーク表示、又は時計表示)を担う陽極線の１つである。かかるステップＳ２１の実行後、システム制御回路４０は、内蔵タイマ(図示せぬ)による計時カウントを開始し(ステップＳ２２)、それから所定時間が経過したか否かの判定を、所定時間経過したと判定されるまで繰り返し行う(ステップＳ２３)。上記ステップＳ２３において、所定時間が経過したと判定されたら、システム制御回路４０は、電源オフを示す論理レベル"０"の電源制御信号ＰＷをスイッチ１５２に供給する(ステップＳ２４)。この論理レベル"０"の電源制御信号ＰＷに応じて、スイッチ１５２は、陽極電圧検出回路１５０及び順方向電圧取込回路１５１各々に対する電源電圧ＶLの供給を停止する。すなわち、上記所定時間内に限り、陽極電源回路１０による陽極電源電圧の調整が実施されるのである。
【００３７】
上記ステップＳ２４の実行後、システム制御回路４０は、この陽極電源電圧調整実行サブルーチンを抜けて、図示せぬメインルーチンの実行に戻る。そして、所定期間経過毎に、システム制御回路４０は、図１０に示す如き陽極電源電圧調整実行サブルーチンを実行するのである。これにより、携帯端末機の通信待ち受け時において、定期的に陽極電源電圧ＶAの調整が為されるようになる。この際、順方向電圧の検出対象となる陽極線Ａ3は、通信待ち受け時に表示部１１０に表示される図８(ｂ)に示す如き待ち受け画像中の高輝度部、つまりアンテナマーク、バッテリ残量マーク、又は時計表示を担う陽極線の１つである。
【００３８】
従って、上述した如き陽極電源電圧調整動作によっても、順方向電圧の検出対象となる陽極線上に駆動電流が流れているか否かを判別する構成を不要としつつも、確実に、陽極電源電圧の調整を実施できるようになる。
尚、上記実施例においては、陽極線上の順方向電圧を検出するにあたり、図８(ａ)又は図８(ｂ)に示す如き表示を行うようにしているが、かかる表示を実施せずとも、順方向電圧の検出を確実に実施させることが可能である。
【００３９】
図１１は、かかる点に鑑みて為されたＥＬディスプレイ装置の構成を示す図である。
図１１において、発光パネル１１は、１表示画面内の各水平走査ラインに対応して形成されたｎ個の陰極線(金属電極)Ｂ1 〜Ｂnと、これら陰極線各々に交叉して形成されたｍ個の陽極線(透明電極)Ａ1〜Ａmと、陰極線及び陽極線の各交差部に形成され(ｎ×ｍ)個のＥＬ素子Ｅ1,1〜Ｅm,nからなる。各画素を担うＥＬ素子Ｅ1,1 〜Ｅm,nは、格子状に配列され、垂直方向に沿う陽極線Ａ1〜Ａmと水平方向に沿う陰極線Ｂ1 〜Ｂnとの交差位置に対応して一端（上記の等価回路のダイオード成分Ｅの陽極線側）が陽極線に、他端（上記の等価回路のダイオード成分Ｅの陰極線側）が陰極線に接続される。
【００４０】
発光制御回路１２０は、入力映像信号に応じて上記ＥＬ素子Ｅ1,1〜Ｅm,n各々を１水平走査ライン分ずつ駆動対象とすべき走査パルス信号ＳＰを陰極線走査回路１３に供給する。又、発光制御回路１２０は、入力映像信号を各画素に対応した表示データに変換し、その論理レベルに応じた駆動パルスを１水平走査ライン分(ＧＰ1〜ＧＰm)ずつ陽極線ドライバ１４に供給する。例えば、第１列〜第ｍ列各々の内で、第１及び第２列目の画素のみを発光させるべき表示データが供給された場合には、夫々が論理レベル"１"の駆動パルスＧＰ1及びＧＰ2と、夫々が論理レベル"０"の駆動パルスＧＰ3〜ＧＰmとを陽極線ドライバ１４に供給する。すなわち、発光制御回路１２０は、入力映像信号に基づき、"発光"させるべき画素に対しては論理レベル"１"、発光させない画素に対しては論理レベル"０"の駆動パルスＧＰを生成するのである。
【００４１】
陰極線走査回路１３は、各陰極線の電位を個別に定める陰極線Ｂ1 〜Ｂnに対応する走査スイッチ５1 〜５nを有している。走査スイッチ５1 〜５nの各々は、発光制御回路１２０から上記走査パルス信号ＳＰが供給されている期間中はアース電位(０Ｖ)、それ以外の期間中はバイアス電位Ｖcc(例えば１０Ｖ)を、対応する陰極線に印加する。尚、バイアス電位Ｖccは、走査パルス信号ＳＰが供給されていない陰極線各々に接続されたＥＬ素子によるクロストーク発光を防止すべく印加されるものであり、通常、バイアス電位Ｖcc＝ＶFに設定されている。
【００４２】
陽極電源回路１０は、下記の陽極線ドライバ１４がＥＬ素子Ｅ1,1〜Ｅm,n各々を駆動すべく陽極線Ａ1〜Ａm各々に供給する駆動電流の源となる所定の陽極電源電圧ＶAを発生し、これを陽極線ドライバ１４に供給する。
陽極線ドライバ１４は、発光パネル１１の陽極線Ａ1〜Ａm各々を介してＥＬ素子Ｅ1,1〜Ｅi,jの各々に駆動電流を供給する定電流ドライバ２1〜２m及び陽極駆動スイッチ６1〜６mを有している。定電流ドライバ２1〜２m各々は、陽極電源回路１０から供給された陽極電源電圧ＶAに基づき所定の一定電流を陽極駆動スイッチ６1〜６m各々に出力する。陽極駆動スイッチ６は、発光制御回路１２０から供給された駆動パルスＧＰに応じて、定電流ドライバ２の出力端又はアース電位を陽極線Ａに印加する。例えば、陽極駆動スイッチ６1は、発光制御回路１２０から供給された駆動パルスＧＰ1が論理レベル"１"である場合には定電流ドライバ２1の出力端を陽極線Ａ1に接続する一方、上記駆動パルスＧＰ1が論理レベル"０"である場合にはアース電位を陽極線Ａ1に印加する。又、陽極駆動スイッチ６mは、発光制御回路１２０から供給された駆動パルスＧＰmが論理レベル"１"である場合には定電流ドライバ２mの出力端を陽極線Ａmに接続する一方、上記駆動パルスＧＰmが論理レベル"０"である場合にはアース電位を陽極線Ａmに印加する。
【００４３】
尚、上記定電流ドライバ２1〜２m各々による駆動電流量は、ＥＬ素子が所望の瞬時輝度で発光する状態（以下、この状態を定常発光状態と称する。)を維持させるために必要な電流量とされる。また、ＥＬ素子が定常発光状態にある時は、上述したＥＬ素子の容量成分Ｃに電荷が充電されているため、ＥＬ素子の両端電圧は発光閾値電圧Ｖthより若干高い正電圧ＶF（この電圧を順方向電圧と称する）となる。
【００４４】
従って、上記走査パルス信号ＳＰに応じてアース電位に設定された陰極線上のＥＬ素子のみが、定電流ドライバ２から供給された駆動電流に応じて発光する。この際、陽極駆動スイッチ６1〜６m各々の内で、上記発光制御回路１２０から論理レベル"１"の駆動パルスＧＰが供給された陽極駆動スイッチのみが上記駆動電流を、対応する陽極線上に印加することになる。よって、発光パネル１１に設けられているＥＬ素子Ｅ1,1〜Ｅi,j各々は上記表示データＤＶに応じた発光状態(発光、又は非発光)となるのである。
【００４５】
スイッチ切換信号生成回路１２１は、駆動パルスＧＰ1〜ＧＰm各々を図１２に示す如き信号変換表に従ってスイッチ信号ＳＷ1〜ＳＷmに変換して、陽極選択スイッチＳ1〜Ｓm各々に供給する。すなわち、スイッチ切換信号生成回路１２１は、先ず、駆動パルスＧＰが論理レベル"１"であるか否かの判定をＧＰ1〜ＧＰmなる順に実行して行く。ここで、最初に、駆動パルスＧＰが論理レベル"１"であると判定されたら、スイッチ切換信号生成回路１２１は、そのＧＰに対応したスイッチ信号ＳＷを論理レベル"１"、その他のスイッチ信号ＳＷを全て論理レベル"０"としたスイッチ信号ＳＷ1〜ＳＷmを生成するのである。従って、図１２に示すように、スイッチ信号ＳＷ1〜ＳＷm各々の内で、論理レベル"１"となるスイッチ信号ＳＷは１つだけとなる。
【００４６】
陽極選択スイッチＳ1〜Ｓmは、その一端が陽極線Ａ1〜Ａmの各々に接続されており、他端が電圧検出ラインＤＬに共通接続されたｍ個のスイッチ素子である。陽極選択スイッチＳ1〜Ｓm各々には、上記スイッチ信号ＳＷ1〜ＳＷm各々が対応して供給されている。各陽極選択スイッチＳ1〜Ｓmの各々は、論理レベル"０"のスイッチ信号ＳＷが供給されている間はオフ状態になる一方、論理レベル"１"のスイッチ信号ＳＷが供給されている間はオン状態になる。陽極選択スイッチＳがオン状態になると、その陽極選択スイッチＳの一端に接続されている陽極線Ａ上の電圧値が電圧検出ラインＤＬを介して順方向電圧取込回路１６０に供給される。
【００４７】
すなわち、上記スイッチ切換信号生成回路１２１及び陽極選択スイッチＳ1〜Ｓmは、駆動パルスＧＰ1〜ＧＰmに基づき、駆動電流が流れることになる陽極線Ａを抽出し、更にその中から１つだけを選択する。そして、その陽極線上の電圧値を電圧検出ラインＤＬを介して順方向電圧取込回路１６０に供給するのである。
【００４８】
順方向電圧取込回路１６０は、電圧検出ラインＤＬを介して供給された上記陽極線上の電圧値を順方向電圧値ＶFとして取り込み、これを陽極電源回路１０に供給する。陽極電源回路１０は、かかる順方向電圧値ＶFに定電流ドライバ２で生じるロス電圧を加算した電圧値と等しくなるように、上記陽極電源電圧ＶAの値を調整する。
【００４９】
図１１に示す如き構成によれば、駆動パルスＧＰ1〜ＧＰmに基づき、陽極線Ａ1〜Ａm各々の内から駆動電流が流れることになる１つの陽極線Ａが検出対象陽極線として自動的に選出されるので、確実に、順方向電圧の検出が為されるようになる。尚、図１１に示す構成では、陽極線Ａ1〜Ａmの全てに陽極選択スイッチＳ1〜Ｓm各々を接続するようにしているが、必ずしも全ての陽極線Ａ1〜Ａmの各々に陽極選択スイッチＳを設ける必要はない。例えば、陽極線Ａ1〜Ａmの内の奇数番目(又は偶数番目)に該当する陽極線のみに、夫々陽極選択スイッチＳを設けるようにしても良いのである。
【００５０】
又、上記実施例では、所定の駆動電流を供給することにより発光素子を発光させる、いわゆる電流駆動方式の駆動装置に本発明を適用した場合の動作について説明したが、電圧駆動方式の駆動装置に対しても同様に適用可能である。この際、図６に示す陽極電圧検出回路１５０に代わり、陽極線Ａ3上の電流値を検出する陽極電流検出回路が用いられる。更に、図６に示す順方向電圧取込回路１５１に代わり、スイッチ１５２から電源電圧ＶLの供給が為されている間に限り上記陽極電流検出回路にて検出された陽極線Ａ3上の電流値を取り込む駆動電流取込回路が用いられる。更に、図６に示す定電流ドライバ２1〜２mに代わり、定電圧ドライバが用いられる。そして、このような電圧駆動方式の場合、上記駆動電流取込回路にて取り込まれた電流値が所望の電流値になるように、定電圧ドライバの出力電圧値及び陽極電源電圧値ＶAを調整するのである。尚、陽極電源電圧値ＶAの調整が高精度に実施出来る場合には、定電圧ドライバの出力電圧値の調整を実施しなくても良い。
【００５１】
又、上記陽極電圧検出回路１５０では、図８(ａ)又は図８(ｂ)に示す如き画像中の高輝度部の表示を担う陽極線の１つから陽極電圧値ＶDを検出している。しかしながら、ＥＬ素子Ｅ1,1〜Ｅm,nの各々は各列毎に、赤色光を発するＥＬ素子,群、緑色光を発するＥＬ素子群、青色光を発するＥＬ素子群に区分されており、各色毎に、その列に対応した陽極線上に生じる電圧が異なる場合がある。そこで、図８(ａ)又は図８(ｂ)中の高輝度表示部での赤色、緑色、及び青色発光各々の駆動を担う３本の陽極線上の電圧値を夫々検出し、その中から最も高い電圧を陽極電圧値ＶDとして検出するようにしても良い。
【００５２】
図１３は、かかる点に鑑みて為されたＥＬディスプレイ装置を搭載した携帯端末機の内部構成を示す図である。
尚、図１３においては、陽極電圧検出回路１５０'を除く他の構成は図６に示すものと同一であるので、以下に、陽極電圧検出回路１５０'の動作のみ説明する。
【００５３】
陽極電圧検出回路１５０'は、先ず、赤色発光を担うＥＬ素子Ｅ1,1、Ｅ1,2、・・・、Ｅ1,nが接続されている陽極線Ａ1、緑色発光を担うＥＬ素子Ｅ2,1、Ｅ2,2、・・・、Ｅ2,nが接続されている陽極線Ａ2、及び青色発光を担うＥＬ素子Ｅ3,1、Ｅ3,2、・・・、Ｅ3,nが接続されている陽極線Ａ3上の電圧を夫々検出する。そして、陽極電圧検出回路１５０'は、上記陽極線Ａ1上の電圧、陽極線Ａ2上の電圧、及び陽極線Ａ3上の電圧の内でその電圧値が最も高い電圧を陽極電圧値ＶDとして順方向電圧取込回路１５１に供給する。要するに、夫々に、互いに異なる発光色のＥＬ素子が接続されている少なくとも２本の陽極線上の電圧の内で、高い方の電圧値を最終的な陽極電圧値ＶDとして順方向電圧取込回路１５１に供給するのである。
【００５４】
尚、上記実施例においては、陽極電源回路１０は、発光パネル１１の陽極線Ａ上から検出された順方向電圧値ＶFに基づいて陽極電源電圧ＶAを調整するが、検出された順方向電圧値ＶFが所定範囲内を越えた異常な値である場合には、陽極電源電圧ＶAの調整を実施しないようにしても良い。
【００５５】
【発明の効果】
以上の如く本発明においては、発光パネルの陽極線各々の内の所定の陽極線を電圧検出対象とし、先ず、少なくともこの検出対象の陽極線に対して駆動電流を供給することになる所定の画像データに基づいた画像表示を行う。そして、この表示を行っている間に限り上記検出対象の陽極線上の電圧値を順方向電圧値として取り込み、この順方向電圧値に応じて、陽極線に印加すべき陽極電源電圧を調整するようにしたのである。
【００５６】
従って、本発明によれば、上述した如き所定の画像データに基づいた画像表示を行っている間は、必ず、検出対象となる陽極線上には駆動電流が流れているので、確実に、陽極電源電圧を適正な値に調整出来るようになる。更に、検出対象となる陽極線上に駆動電流が流れているか否かを判定する構成が不要となるので、回路構成を小規模化できると共に、電力消費が削減される。
【図面の簡単な説明】
【図１】有機エレクトロルミネセンス素子の等価回路を示す図である。
【図２】有機エレクトロルミネセンス素子の駆動電圧−電流−発光輝度特性を概略的に示す図である。
【図３】ＥＬディスプレイ装置の概略構成、及びその動作を説明する為の図である。
【図４】順方向電圧ＶF−駆動電流特性を示す図である。
【図５】時間−順方向電圧特性を示す図である。
【図６】本発明による駆動装置によって発光駆動されるＥＬディスプレイ装置を搭載した携帯端末機の内部構成を示す図である。
【図７】図６に示す携帯端末機の前面パネルの一例を示す図である。
【図８】携帯端末機の表示部１１０に表示されるウェークアップ画像、待ち受け画像の一例を示す図である。
【図９】陽極電源電圧調整実行サブルーチンの一例を示す図である。
【図１０】陽極電源電圧調整実行サブルーチンの他の一例を示す図である。
【図１１】ＥＬディスプレイ装置の他の構成を示す図である。
【図１２】スイッチ切換信号生成回路１２１において用いられる信号変換表の一例を示す図である。
【図１３】本発明による駆動装置によって発光駆動されるＥＬディスプレイ装置を搭載した携帯端末機の他の実施例による内部構成を示す図である。
【符号の説明】
２1〜２m     定電流ドライバ
６1〜６m     陽極駆動スイッチ
１０         陽極電源回路
１１         発光パネル
４０         システム制御回路
５０         画像データメモリ
１５０       陽極電圧検出回路
１５１       順方向電圧取込回路
１５２       スイッチ
Ａ1〜Ａm     陽極線
Ｂ1〜Ｂn     陰極線
Ｅ1,1〜Ｅm,n   有機エレクトロルミネッセンス素子
【図１】
0004244110.tif 000002
【図２】
0004244110.tif 000003
【図３】
0004244110.tif 000004
【図４】
0004244110.tif 000005
【図５】
0004244110.tif 000006
【図６】
0004244110.tif 000007
【図７】
0004244110.tif 000008
【図８】
0004244110.tif 000009
【図９】
0004244110.tif 000010
【図１０】
0004244110.tif 000011
【図１１】
0004244110.tif 000012
【図１２】
0004244110.tif 000013
【図１３】
0004244110.tif 000014